(57)【要約】【課題】  傾斜台の傾斜角度の調整と固定を容易にして操作性を向上させ、ショット練習だけでなくパット練習にも対応できる軽量で簡単な構造の安価なゴルフ練習台を提供する。【解決手段】  前記課題を解決するために本発明のゴルフ練習台１は、傾斜台３と、中空の半球体９と、前記半球体９の外周面１１を支承する筒体１５と、上下にロックナット１７、１９を備えた芯ボルト２５と、前記芯ボルト２５と一体になって上下動し、前記半球体９の内周面１０に当接して半球体９を保持する保持円板２７と、前記筒体１５と下部のロックナット１９との間に設けられ、操作レバー２９の操作角度αに応じて作用高さＨを異ならせることによってロック位置とロック解除位置との切り替えを行うロックレバー機構３１と、を具備している。【選択図】  図４
2010148631.tif 000002
【特許請求の範囲】
【請求項１】
周囲３６０°に傾斜方向と傾倒角度を可変し得る傾斜台と、
前記傾斜台に対して上部開口を上にして一体に設けられ、下部に傾斜台の傾倒を可能にする傾倒許容開口が形成されている中空の半球体と、
上面に前記傾倒許容開口よりも大きな口径の開口部を備え、前記半球体の外周面の一部に当接して前記半球体を支承する筒体と、
下部にロックナットを備え、前記半球体の傾倒許容開口と前記筒体の底部に形成されている受入れ穴とに挿通される芯ボルトと、
前記芯ボルトの上部に固着され、芯ボルトと一体になって上下動し得るとともに、前記半球体の内周面の一部に当接して、前記傾斜台の傾倒姿勢を保持する前記傾倒許容開口の口径よりも大きな直径の保持円板と、
前記筒体と、前記芯ボルトの下部のロックナットとの間に設けられ、操作レバーの操作角度に応じて作用高さを異ならせることによって前記保持円板を前記半球体の内周面の一部に当接させるロック位置と、前記保持円板を前記半球体の内周面から離間させるロック解除位置とに切り替えることのできるロックレバー機構と、を具備していることを特徴とするゴルフ練習台。
【請求項２】
ロックレバー機構は、筒体の下面において受入れ穴と軸芯を一致させて設けられ、下面に鋼球を受け入れる複数の保持凹部が同心円上に等ピッチで配置されている鋼球保持ブロックと、
前記すべての保持凹部に各別に収容され、前記鋼球保持ブロックの下面からその一部が突出した状態で設けられる複数個の鋼球と、
前記鋼球保持ブロックの下面から突出した鋼球に常時当接し、上面に前記保持凹部が配置されているのと同じ直径の同心円上に前記保持凹部と等ピッチで同数配置される複数の溝部を備えるロック調整板と、
前記ロック調整板に一端が固定状態で接続され、他端が水平外方に延長形成されている前記操作レバーと、を具備し、
前記鋼球が前記ロック調整板の上面に当接している下限位置と、前記鋼球が前記ロック調整板の溝部に嵌まる上限位置との間のストロークの範囲で前記保持円板を上下動させてロック位置とロック解除位置とに切り替えるようにしたことを特徴とする請求項１記載のゴルフ練習台。
【請求項３】
半球体は平板状の材料をプレス成形によって半球形状に曲げ加工し、その後筒体の上部内縁に当接する外周面を仕上げ加工することによって成形されていることを特徴とする請求項１または２記載のゴルフ練習台。
【請求項４】
ロックレバー機構と、芯ボルトの下部のロックナットとの間にはスラストベアリングが設けられていることを特徴とする請求項１〜３のいずれかに記載のゴルフ練習台。
【請求項５】
ゴルフ練習台をショット練習用のゴルフ練習台として使用する場合には、単一の傾斜台上に使用者が載ってスタンスを取る打席スペースと、ゴルフボールをセットするセットスペースとの両方を形成したことを特徴とする請求項１〜４のいずれかに記載のゴルフ練習台。
【請求項６】
ゴルフ練習台をパット練習用のゴルフ練習台として使用する場合には、傾斜台上にゴルフボールをセットするセットスペースと、カップが切られたパッティングスペースとが形成されており、傾斜台とは別に使用者が載ってスタンスを取る打席スペースを備えた打席台が設けられていることを特徴とする請求項１〜４のいずれかに記載のゴルフ練習台。
【請求項７】
打席台は、複数枚の板状の打席台要素によって構成され、前記打席台要素を任意の枚数積み重ねることにより高さを調整するようにしたことを特徴とする請求項６記載のゴルフ練習台。
【請求項８】
半球体のカップ径と、鋼球のボール径と、芯ボルトないし保持円板の移動ストロークは、傾斜台に作用する荷重の大きさに応じて予め設定しておいた複数種の組み合わせを適宜選択して使用するようにしたことを特徴とする請求項１〜７のいずれかに記載のゴルフ練習台。
【発明の詳細な説明】
【技術分野】
【０００１】
本発明は、狭いスペースでも使用可能なコンパクトで簡易な構成のゴルフ練習台に係り、特に実践に即した傾斜地でのショット練習ないしパット練習を効率的に簡単な操作で行うことのできるゴルフ練習台に関する。
【背景技術】
【０００２】
従来のゴルフ練習台は、平坦な練習台に使用者が載り、その前方に配置された平坦なボール台にゴルフボールをセットして打つという構成が取られていた。しかし、実際のゴルフ場の地形は起伏に富んでおり、このような平坦な練習台での練習のみでは不十分であった。
そこで、発案されたのが下記の特許文献１、２に開示されているような傾斜姿勢での練習を可能にしたゴルフ練習台である。
【０００３】
特許文献１、２に開示されているゴルフ練習台はともにジャッキを使用した構造になっており、操作が煩雑であったり、構造が複雑で製造コストや保守費用が掛かる等の欠点を有していた。
本発明者はこのような背景技術を踏まえ、下記の特許文献３に示す特許出願に及び、既に特許を取得しており、小型で、コストパフォーマンスに優れ、故障が少ないゴルフ練習台の開発に成功している。
【０００４】
【特許文献１】実開昭６１−１８００７１号公報
【特許文献２】特開昭６３−２０６２６８号公報
【特許文献３】特開２０００−０７０４２９号公報
【発明の開示】
【発明が解決しようとする課題】
【０００５】
しかし、その後の研究開発によって傾斜台の傾斜角度の調整操作につき、更に改良の余地があることが明らかになってきた。即ち、特許文献３のゴルフ練習台にあっては、傾斜台の傾斜角度の調整のその都度、ボルト、ナットを緩めたり、締め付け直したりする作業が必要となっており、これらの作業を行うことなく、更に簡単な操作で確実に傾斜台の傾斜角度の調整操作を行うことのできるゴルフ練習台の開発が望まれていた。また、傾斜台の中央に芯ボルト調整用のインサート孔があり、ここにマットのみを置く構成であるため、傾斜台の中央が凹陥してパット練習用として使用することができないという問題があった。このためマットの下に板状のベースが必要となっていた。更に、傾斜台の傾斜角度の調整は傾斜台が大きい場合には人が傾斜台の上に乗って作業しなければならないが、人が乗ってボルト、ナットを緩めると、傾斜台が不安定になり、所望の傾斜方向と傾斜角度に調整しにくいという問題があった。
【０００６】
また、前記特許文献３のゴルフ練習台にあっては、半球体が１台あたり２個必要であり、要部となるそれらの半球体のすべての成形を旋盤等の工作機械を使用した精密切削加工によって行う必要があった。従って、半球体の成形には相応の時間とコストが掛かっており、この点でも改良の余地があった。
また、前記の特許文献１〜３はすべてアイアンやウッドを使用するショット練習用のゴルフ練習台を前提としたものであり、パターを使ったパット練習用のゴルフ練習台にも、傾斜地を想定したパット練習のできるより実践的なゴルフ練習台の開発が望まれていた。
【０００７】
本発明は、このような点に基づいてなされたものでその目的とするところは、傾斜台の傾斜角度の調整と固定を容易にして操作性を向上させるとともに、ショット練習だけでなく、パット練習にも対応でき、より軽量且つ簡単な構造で安価なゴルフ練習台を提供することにある。
【課題を解決するための手段】
【０００８】
前記目的を達成するべく本発明の請求項１によるゴルフ練習台は、周囲３６０°に傾斜方向と傾倒角度を可変し得る傾斜台と、前記傾斜台に対して上部開口を上にして一体に設けられ、下部に傾斜台の傾倒を可能にする傾倒許容開口が形成されている中空の半球体と、上面に前記傾倒許容開口よりも大きな口径の開口部を備え、前記半球体の外周面の一部に当接して前記半球体を支承する筒体と、下部にロックナットを備え、前記半球体の傾倒許容開口と前記筒体の底部に形成されている受入れ穴とに挿通される芯ボルトと、前記芯ボルトの上部に固着され、芯ボルトと一体になって上下動し得るとともに、前記半球体の内周面の一部に当接して、前記傾斜台の傾倒姿勢を保持する前記傾倒許容開口の口径よりも大きな直径の保持円板と、前記筒体と、前記芯ボルトの下部のロックナットとの間に設けられ、操作レバーの操作角度に応じて作用高さを異ならせることによって前記保持円板を前記半球体の内周面の一部に当接させるロック位置と、前記保持円板を前記半球体の内周面から離間させるロック解除位置とに切り替えることのできるロックレバー機構と、を具備していることを特徴とするものである。
【０００９】
また、請求項２によるゴルフ練習台は、請求項１記載のゴルフ練習台において、ロックレバー機構は、筒体の下面において受入れ穴と軸芯を一致させて設けられ、下面に鋼球を受け入れる複数の保持凹部が同心円上に等ピッチで配置されている鋼球保持ブロックと、
前記すべての保持凹部に各別に収容され、前記鋼球保持ブロックの下面からその一部が突出した状態で設けられる複数個の鋼球と、前記鋼球保持ブロックの下面から突出した鋼球に常時当接し、上面に前記保持凹部が配置されているのと同じ直径の同心円上に前記保持凹部と等ピッチで同数配置される複数の溝部を備えるロック調整板と、前記ロック調整板に一端が固定状態で接続され、他端が水平外方に延長形成されている前記操作レバーと、を具備し、前記鋼球が前記ロック調整板の上面に当接している下限位置と、前記鋼球が前記ロック調整板の溝部に嵌まる上限位置との間のストロークの範囲で前記保持円板を上下動させてロック位置とロック解除位置とに切り替えるようにしたことを特徴とするものである。
【００１０】
また、請求項３によるゴルフ練習台は、請求項１または２記載ゴルフ練習台において、半球体は平板状の材料をプレス成形によって半球形状に曲げ加工し、その後筒体の上部内縁に当接する外周面を仕上げ加工することによって成形されていることを特徴とするものである。
【００１１】
また、請求項４によるゴルフ練習台は、請求項１〜３のいずれかに記載のゴルフ練習台において、ロックレバー機構と、芯ボルトの下部のロックナットとの間にはスラストベアリングが設けられていることを特徴とするものである。
【００１２】
また、請求項５によるゴルフ練習台は、請求項１〜４のいずれかに記載のゴルフ練習台において、前記ゴルフ練習台をショット練習用のゴルフ練習台として使用する場合には、単一の傾斜台上に使用者が載ってスタンスを取る打席スペースと、ゴルフボールをセットするセットスペースとの両方を形成したことを特徴とするものである。
【００１３】
また、請求項６によるゴルフ練習台は、請求項１〜４のいずれかに記載のゴルフ練習台において、前記ゴルフ練習台をパット練習用のゴルフ練習台として使用する場合には、傾斜台上にゴルフボールをセットするセットスペースと、カップが切られたパッティングスペースとが形成されており、前記傾斜台とは別に使用者が載ってスタンスを取る打席スペースを備えた打席台が設けられていることを特徴とするものである。
【００１４】
また、請求項７によるゴルフ練習台は、請求項６記載のゴルフ練習台において、打席台は、複数枚の打席台要素によって構成され、前記打席台要素を任意の枚数積み重ねることにより高さを調整するようにしたことを特徴とするものである。
【００１５】
また、請求項８によるゴルフ練習台は、請求項１〜７のいずれかに記載のゴルフ練習台において、半球体のカップ径と、鋼球のボール径と、芯ボルトないし保持円板の移動ストロークは、傾斜台に作用する荷重の大きさに応じて予め設定しておいた複数種の組み合わせを適宜選択して使用するようにしたことを特徴とするものである。
【００１６】
そして、前記手段によって以下のような作用が得られる。まず、ロックレバー機構の採用によって、従来傾斜台の傾倒角度の調整の都度、行われていたボルト、ナットの締め付け状態を緩めたり、締付け直す煩わしい作業が不要となり、操作レバーの回動操作のみで傾斜台のロック状態とロック解除状態を切り替えることが可能になる。
また、半球体の支承部材として筒体を採用することによって所望の支承機能を維持しつつ、製造コストを削減することが可能になる。
【００１７】
また、前記ロックレバー機構を保持凹部を備えた鋼球保持ブロックと、前記保持凹部にその一部が収容される鋼球と、溝部が形成されたロック調整板と、ロック調整板と一体の操作レバーと、を具備することによって構成し、鋼球の位置の変動を利用して傾斜板のロック状態とロック解除状態とを切り替えるようにした場合には、比較的簡単な構造でロックレバー機構を構成でき、主たる摩耗部位が溝部になるのでロックレバー機構の耐久年数を増大させることが可能になる。
【００１８】
また、半球体の成形にプレス成形加工を応用することによって半球体の基本的形状の製作にかかる費用を低く抑えることが可能になり、半球体の外周面の仕上げ加工のみを切削加工、研削加工あるいは研磨加工で行えば従来と同様の性能を有する半球体を低コスト、短時間で製作できるようになる。また、半球体の軽量化も図られる。
【００１９】
また、ロックレバー機構と、芯ボルトの下部のロックナットとの間にスラストベアリングを設けた場合には、操作レバーの回動操作によって芯ボルトに掛かるスラスト荷重を低減させて、円滑な芯ボルトの上下動を可能にすることができる。
また、ゴルフ練習台をショット練習用として使用する場合に、単一の傾斜台上に打席スペースと、ゴルフボールのセットスペースとの両方を形成した場合には、より実践に即した模擬傾斜環境でのショット練習が可能になる。また、部品点数の削減に寄与し、製品コストのコストダウンも図られる。
【００２０】
また、ゴルフ練習台をパット練習用として使用する場合に、傾斜台上にゴルフボールのセットスペースと、パッティングスペースとを形成し、傾斜台とは別に打席スペースを備えた打席台を設けた場合には、傾斜台に掛かる荷重を小さくでき、頑強なフレーム構造を設けなくても比較的大きなパッティングスペースを備えた傾斜台を構築することが可能になる。
また、打席台は、複数枚の打席台要素によって構成され、前記打席台要素を任意の枚数積み重ねることにより所望の高さに調整するようにした場合には、セットスペースの高さに応じて打席台の高さを効率的に簡単な操作で調節することができる。
【００２１】
また、半球体のカップ径と、鋼球のボール径と、芯ボルトないし保持円板の移動ストロークを傾斜台に作用する荷重の大きさに応じて適宜、選択できるようにした場合には、荷重の大小に拘らず、所望の性能を発揮し得るゴルフ練習台を提供できるようになる。
【発明の効果】
【００２２】
本発明によるゴルフ練習台によると、傾斜台の傾斜角度の調整と固定を容易にして操作性を向上させることができる。また、ショット練習だけでなく、パット練習にも対応できるようになり、練習の幅が拡大する。また、製作に掛かる時間を短縮し、製造コストを抑えた軽量コンパクトで簡単な構造のゴルフ練習台を提供できるようになる。
【発明を実施するための最良の形態】
【００２３】
以下、図１〜１０に示す（１）第１の実施の形態と、図１１、１２に示す（２）第２の実施の形態を例にとって、本発明を実施するための最良の形態を説明する。
（１）第１の実施の形態（図１〜１０参照）
図１は第１の実施の形態を示す図で、半球体及び筒体周辺を破断して示すゴルフ練習台の正面図、図２は同上、右側面図、図３は同上、平面図、図４は同上、半球体及び筒体周辺を拡大して示す縦断左側面図、図５は同上、筒体と鋼球保持ブロックを拡大して示す縦断正面図、図６は同上、筒体と鋼球保持ブロックを拡大して示す底面図、図７は同上、ロック調整板と操作レバーを拡大して示す平面図、図８は同上、ロック調整板と操作レバーを拡大して示す縦断左側面図、図９は同上、ゴルフボールのセットスペースの一部を拡大して示す平面図（ａ）と、縦断正面図（ｂ）、図１０は同上、ゴルフ練習台の２種の使用状態（ａ）（ｂ）を示す説明図である。
【００２４】
第１の実施の形態によるゴルフ練習台１は、模擬傾斜環境でアイアンやウッドを使ってショット練習を行うことのできるショット練習用のゴルフ練習台である。
このゴルフ練習台１には、前後、左右、すなわち周囲３６０°にわたって傾斜方向と傾倒角度θ１、θ２を可変し得る傾斜台３と、前記傾斜台３に対して上部開口５を上にして一体に設けられ、下部に傾斜台３の傾倒を可能にする傾倒許容開口７が形成されている中空の半球体９と、前記半球体９の外周面１１の一部に当接して前記半球体９を支承するとともに、上面に前記傾倒許容開口７よりも大きな口径Ｄ１の開口部１３を備えた筒体１５とが備えられている。
【００２５】
また、このゴルフ練習台１には、上下にロックナット１７、１７及びロックナット１９、１９を備え、前記半球体９の傾倒許容開口７と前記筒体１５の底部２１に形成されている受入れ穴２３とに挿通される芯ボルト２５と、前記芯ボルト２５の上部のロックナット１７、１７の下面に固着され、芯ボルト２５と一体になって上下動し得るとともに、前記半球体９の内周面１０の一部に当接して、前記傾斜台３の傾倒姿勢を保持する前記傾倒許容開口７の口径Ｄ２よりも大きな直径Ｄ３の保持円板２７とが備えられている。尚、芯ボルト２５の上部はロックナット１７、１７に代えてボルト頭で構成されていても良い。
【００２６】
更に、この練習台１には、前記筒体１５と、前記芯ボルト２５の下部のロックナット１９、１９との間に設けられ、操作レバー２９の操作角度αに応じて作用高さＨを異ならせることによって前記保持円板２７を前記半球体９の内周面１０の一部に当接させるロック位置と、前記保持円板２７を前記半球体９の内周面から離間させるロック解除位置とに切り替えることができるロックレバー機構３１が備えられている。
【００２７】
傾斜台３は、前後方向の傾倒角度θ１が３０°、左右方向の傾倒角度θ２が３０°であり、幅１５００ｍｍ、奥行き１０００ｍｍ、厚さ３２ｍｍの矩形平板状の部材で、その中心位置から幾分、左寄りの偏った位置に半球体９の上部を受け入れて半球体９の外周面１１の一部と接合される接合用開口３３が形成されている。
また、傾斜台３の上面には、前記接合用開口３３を覆う天板３５が設けられており、更にこの天板３５の上面には、人工芝等のマット部材３７が貼設されている。
【００２８】
また、傾斜台３の上面には、使用者Ｕが載ってスタンスを取る打席スペース３９と、ゴルフボールＢをセットするセットスペース４１とが形成されており、前記接合用開口３３が形成されている左側に偏った位置に打席スペース３９、打席スペース３９の右側にセットスペース４１が形成されている。
尚、図示の実施の形態のように、左側に偏った位置に接合用開口３３が形成されている場合は、偏心荷重がかからないように右側にカウンタウェイトが必要となるが、傾斜台３の大きさを考慮しないで良い場合は、中央位置に接合用開口３３が形成されていても勿論差し支えない。
また、前記セットスペース４１には、図９において拡大して示すように、ゴルフボールＢを４点で支持するテグスによって構成される弾性を有する４本の支持突起４３が一組または複数組、配設されている。ゴルフボールＢは通常４本の支持突起４３で４点で支持するが、必要に応じて片側２本で支持させることも可能である。
【００２９】
半球体９はカップ径Ｌ１が２１０ｍｍ、厚さが６ｍｍ、傾倒許容開口７の口径Ｄ２が１００ｍｍの中空の半球形状を有している。そして、この半球体９は平板状の金属製材料をプレス成形によって半球形状に曲げ加工し、その後、その外周面１０に旋盤等による切削加工、研削加工あるいは研磨加工等の仕上げ加工を施こすことによって成形されている。
また、上述したようにこの半球体９の外周面１０の上部は傾斜台３の接合用開口３３に挿嵌されて接合され、傾斜台３と一体部材となる。
【００３０】
筒体１５は図３中、Ｘ字状に配設され、先端部に脚部４４が設けられている支持フレーム４５と、該支持フレーム４５の交差部位周辺から内側斜め上方に向けて立ち上げられている支持ステイ４７とによって水平に固定状態で支持されている前記半球体９の支承部材である。
筒体１５の開口部１３の口径Ｄ１は、上述したように半球体９の傾倒許容開口７の口径Ｄ２よりも大きく、半球体９のカップ径Ｌ１よりも小さく形成されており、筒体１５の底部２１の深さＴは、筒体１５内に収容された半球体９の外周面１０が前記底部２１に当接しない深さに設定されている。
【００３１】
芯ボルト２５は、鉛直方向に配置されている頭部を有しない雄ネジ部のみによって構成されているネジ径が２０ｍｍのボルトで、その上端部にダブルナット構造の前記ロックナット１７、１７が一例として取り付けられており、その下端部に同じくダブルナット構造の前記ロックナット１９、１９が取り付けられている。
また、上部のロックナット１７、１７の下面には上述したように保持円板２７が溶接によって固定状態で取り付けられている。
【００３２】
保持円板２７は直径Ｄ３が１５４ｍｍ、厚さｔが９ｍｍの円板状の部材である。そして、前記半球体９の内周面１０に当接する保持円板２７の下方の周縁部には、面取り加工が施されていて接触面積を拡大させることで保持円板２７によるロック時の半球体９の保持力を増大させている。
一方、下部のロックナット１９、１９の上面と、次に述べるロックレバー機構３１との間にはスラストベアリング４９が設けられており、操作レバー２９操作時に芯ボルト２５に作用するスラスト方向の荷重を受け、円滑な芯ボルト２５の上下動を可能にしている。
尚、前記半球体９は、最低限筒体１５の開口部１３に当接する外周面が切削加工等されていれば良いが、保持円板２７との接触面である内周面も、前記保持円板２７の下方の周縁部が面取り加工されていることと併せ、切削加工等されていることが望ましく、内外周面を切削加工等して、前記接触部分の厚さを４ｍｍ程度とすることもできる。
【００３３】
ロックレバー機構３１は、本実施の形態では保持凹部５１を備える鋼球保持ブロック５３と、前記保持凹部５１に収容される鋼球５５と、溝部５７を備えるロック調整板５９と、ロック調整板５９と一体の操作レバー２９とを具備することによって構成されている。
この傾斜台３の場合には使用者Ｕが傾斜台３上に載るため、傾斜台３の耐荷重が高く設定されている。具体例としては、以下に述べる一例のようになっている。まず、鋼球保持ブロック５３は内径２４ｍｍ、外径６５ｍｍ、厚さ２０ｍｍのリング状の部材である。そして、この鋼球保持ブロック５３は前記筒体１５の下面に溶接によって接合されている。
【００３４】
また、前記鋼球保持ブロック５３と前記筒体１５は軸心を一致させた状態で接合されており、鋼球保持ブロック５３の下面には鋼球５５を受け入れる４つの保持凹部５１が同心円上に９０°間隔の等ピッチで配置されている。
また、鋼球５５は４個設けられており、ボール径Ｍ１が１４ｍｍで、前記４つの保持凹部５１に各別に収容され、鋼球保持ブロック５３の下面からその一部が突出した状態で設けられている。
【００３５】
ロック調整板５９は操作レバー２９の長手方向に沿う方向に長い厚さが１２ｍｍ、奥行き寸法が６５ｍｍの矩形平板状の部材である。そして、ロック調整板５９の上面には前記保持凹部５１が配置されているのと同じ直径の同心円上に前記保持凹部５１と同じ９０°間隔の等ピッチで４つの逆円錐形状の溝部５７が形成されている。
また、このロック調整板５９には、操作レバー２９の一端が固定状態で接続されており、操作レバー２９の他端は水平外方の操作可能な位置まで延長形成されている。
【００３６】
そして、このような構成のロックレバー機構３１を使用することによって前記鋼球５５がロック調整板５９の上面に当接している下限位置と、前記鋼球５５がロック調整板５９の溝部５７に嵌まる上限位置との間のストロークＳ１の範囲で前記保持円板２７を上下動させてロック位置とロック解除位置との切り替えができるようになっている。
尚、本実施の形態ではロック位置とロック解除位置との切り替えに必要な操作レバー２９の操作角度αが４５°であり、この時の芯ボルト２５ないし保持円板２７の移動ストロークＳ１としては、３〜８ｍｍが考えられ、この実施の形態の場合には３ｍｍに設定されている。因みに、移動ストロークＳ１は３ｍｍとすることが、適度な締め付け力を得るためには好適であるが、鋼球５５と接触する逆円錐形状の溝部５７の磨耗を考えると、鋼球５５が保持凹部５１から飛び出さない範囲で最大８ｍｍとすることも考えられる。
因みにロック調整板５９の逆円錐形状の溝部５７については、長時間の使用により次第に磨耗して調整しろが減ってしまうことが懸念される。このような磨耗を防ぐためには、溝部５７の部分に焼入れをしたり、硬度の高い材料を使用することが考えられるが、このようにすると逆に鋼球５５が割れてしまうという問題がある。このため、溝部５７については、焼入れ処理や硬度の高い材料の使用は行わず、一定期間使用して調整しろが無くなった時点で部品を取り替えるようにするものである。
【００３７】
次にこのようにして構成される本実施の形態に係るゴルフ練習台１を使用してショット練習する場合のゴルフ練習台１の操作手順について説明する。
まず、傾斜台３に載らない状態で操作レバー２９を操作角度α、回動させて鋼球５５がロック調整板５９の上面に当接しているロック位置から鋼球５５がロック調整板５９の溝部５７に嵌まるロック解除位置に移行させる。
【００３８】
そして、この状態では芯ボルト２５と保持円板２７が上限位置に移動するため、半球体９は保持円板２７による当接保持状態から開放されるため前後、左右の周囲３６０°の傾斜方向と前記傾倒角度θ１、θ２の範囲で自由に傾斜台３の傾倒角度θ１、θ２を調整することが可能になる。
例えば図１０（ａ）に示すように使用者Ｕから見てつま先上がり左下がりに傾斜台３の傾倒角度θ１、θ２を調整したり、図１０（ｂ）に示すように使用者Ｕから見てつま先下がり右下がりに傾斜台３の傾倒角度θ１、θ２を調整したりすることが可能になる。
【００３９】
次に傾斜台３の傾倒角度θ１、θ２が決まったら、その位置で操作レバー２９を操作角度α、逆方向に回動させてロック位置に移行させ、傾斜台３の傾倒姿勢を固定する。
因みにこの状態では、鋼球５５はロック調整板５９の上面に当接した状態になっており、芯ボルト２５と保持円板２７はストロークＳ１だけ下方に移動し、半球体９は外周面１１側の筒体１５と、内周面１０側の保持円板２７とによって所定の挟持力で保持された状態になっている。
【００４０】
使用者Ｕは傾斜台３の固定状態を確認してから傾斜台３上の打席スペース３９に立ち、ゴルフボールＢをセットスペース４１の４本の支持突起４３の中央に置いてセットする。
そして、アイアンやウッド等の適宜のクラブＣを使用して模擬傾斜環境でのショット練習を繰り返し実行する。
尚、前記４本の支持突起４３の組が複数組設けられている場合には、予め複数のゴルフボールＢをセットしておいてからショット練習を連続して行うようにすることも可能である。
【００４１】
以上、本実施の形態によると、実践に即した模擬傾斜環境でのショット練習を効率良く実行できるようになり、傾斜台３の前後、左右周囲３６０°の傾斜方向と傾倒角度θ１、θ２の調整が簡単な操作で短時間に行うことができるようになる。また、本実施の形態の場合は、傾斜台３の固定状態を所定の挟持力で保持することができるので、使用者Ｕが傾斜台３上に載って高い荷重が作用しても安定した保持が可能である。また、半球体９と、半球体９の支承部材である筒体１５の製作を短時間で安価に行うことができるようになり、ゴルフ練習台１の小型、軽量化も図られる。また、傾斜台３に乗らないで調整ができるので、作業が容易にできる。また、半球体９は１個必要とするのみであり、平板状の金属製材料をプレス成形によって半球形状に曲げ加工し、その後、その外周面１０に切削加工等を施こすことによって成形されているので低コスト、短時間で製作できるようになる。
【００４２】
（２）第２の実施の形態（図１１、１２参照）
図１１は第２の実施の形態を示す図で、ゴルフ練習台の斜め上方からの斜視図、図１２は同上、ゴルフ練習台の斜め下方からの斜視図である。
第２の実施の形態によるゴルフ練習台１０１は、模擬傾斜環境でパターを使ってパット練習を行うことのできるパット練習用のゴルフ練習台である。
【００４３】
このゴルフ練習台１０１は、ゴルフボールＢをセットするセットスペース４１と、２つのカップ１０３Ｌ、１０３Ｒが切られたパッティングスペース１０５とが形成されている傾斜台１０７と、使用者Ｕが載ってスタンスを取る打席スペース３９を備えた前記傾斜台１０７とは別に設けられる打席第１０９と、を具備することによって構成されている。
傾斜台１０７は、打球の打出し方向に長い略矩形状のパッティングスペース１０５の前方中央部に、前記パッティングスペース１０５よりも幅狭な矩形状のセットスペース４１を延長形成した形状になっている。
【００４４】
パッティングスペース１０５の周囲にはパッティングスペース１０５からのゴルフボールＢの落下を防止するための落下防止壁１１１が前記セットスペース４１との接続部を除いた個所に形成されている。
また、前記２つのカップ１０３Ｌ、１０３Ｒはパッティングスペース１０５の後方のコーナ部付近に設けられており、それぞれのカップ１０３Ｌ、１０３Ｒに入ったゴルフボールＢは傾斜台１０７の後方の下面に設けられている樋状のボール受け１１３Ｌ、１１３Ｒによって回収されるようになっている。
【００４５】
また、この傾斜台１０７の場合には前後、左右の中心位置に接合用開口３３が形成されており、比較的大型の傾斜台１０７の無理のない円滑な傾倒を可能にしている。
また、この傾斜台１０７の下面には図１２に示すように長手方向と幅方向に延びる補強フレーム１１５と、これらの交差部位を筋交い状に更に補強する４本の他の補強フレーム１１７とが設けられている。このようにすると、フレーム自体を軽くすることができ、傾斜台１０７を含む全体を軽量化できる利点がある。尚、傾斜台１０７が大きい場合には、周囲が垂れ下がる傾向が生じるので、傾斜台１０７の外周を覆う枠体（フレーム）を追加して設けることが好ましい。
【００４６】
尚、傾斜台１０７のその他の構成や半球体９、筒体１５、芯ボルト２５、保持円板２７及びロックレバー機構３１の構成については基本的に前記図１〜１０に示す第１の実施の形態によるゴルフ練習台１と同様であるのでこれらの詳細な説明は省略する。
また、この傾斜台１０７の場合には使用者Ｕが傾斜台１０７上に載らないため、傾斜台１０７の耐荷重が低く設定されている。これに伴って、本実施の形態の場合には、半球体９のカップ径Ｌ２が１０５ｍｍ、鋼球５５のボール径Ｍ２が７ｍｍ、芯ボルト２５ないし保持円板２７の移動ストロークＳ２としては、１．５〜４ｍｍと前記第１の実施の形態の時よりも小さめに設定することが考えられ、この実施の形態の場合には１．５ｍｍに設定されている。因みに、移動ストロークＳ１は１．５ｍｍとすることが、適度な締め付け力を得るためには好適であるが、鋼球５５と接触する逆円錐形状の溝部５７の磨耗を考えると、鋼球５５が保持凹部５１から飛び出さない範囲で最大４ｍｍとすることも考えられる。
【００４７】
打席台１０９は、一例として発泡スチロール製のものであり、矩形平板状をしたフラットな形状の台の１つのコーナ部を矩形状に切り欠いたような形状を有している。そして、前記切欠き部１１９に上述したセットスペース４１の部分が係合するように構成されている。
また、打席台１０９は、厚さの異なる又は同じ複数枚の打席台要素１０９ａ〜１０９ｄが予め用意されており、セットスペース４１が高い位置の場合は枚数を多くし、低い場合は少なくするというように任意の高さに調整できるように構成されている。これにより、簡単な構成で容易に高さ調整ができる。
【００４８】
次にこのようにして構成される本実施の形態に係るゴルフ練習台１０１を使用してパット練習する場合のゴルフ練習台１０１の操作手順について説明する。
まず、操作レバー２９を操作角度α、回動させてロックレバー機構３１をロック解除位置にする。そして、傾斜台１０７を所望の傾倒角度θ１、θ２にし、操作レバー２９を操作角度α、逆方向に回動させてロックレバー機構３１をロック位置にする。
【００４９】
次に使用者Ｕはパターを持って打席台１０９に上り、セットスペース４１に設けられている４本の支持突起４３の中央にゴルフボールＢをセットする。
そして、前記パターを使用して傾斜したグリーンを想定した模擬傾斜環境のパッティングスペース１０５を使用してパット練習を繰り返し実行する。
尚、前記４本の支持突起４３の組が複数組設けられている場合には、予め複数のゴルフボールＢをセットしておいてからパット練習を連続して行うようにすることも可能である。
【００５０】
以上、本実施の形態によると、実践に即した模擬傾斜環境でのパット練習を効率良く実行できるようになり、傾斜台１０７の傾倒角度θ１、θ２の調整が簡単な操作で短時間に行うことができるようになる。また、半球体９と、半球体９の支持部材である筒体１５の製作を短時間で安価に行うことができるようになる。また、ゴルフ練習台１０１の小型、軽量化も図られるし、傾斜台１０７のパッティングスペース１０５のより大きなものを用意できるようになる。また、傾斜台３の上面には接合用開口３３を覆う天板３５が設けられており、更にこの天板３５の上面には、人工芝等のマット部材３７が貼設されているので、パット練習用にゴルフ練習台を使用する場合でも、人工芝等のマット部材３７の接合用開口３３部分が凹陥することはなく、平面を保ったままパット練習ができる。
【００５１】
尚、本発明のゴルフ練習台は前記の実施の形態のものに限定されず、その発明の要旨内での設計変更が可能である。例えば、ロックレバー機構３１は、前記実施の形態で述べた構成に限られない。例えば、上記実施の形態に示した保持凹部５１に収容される鋼球５５と溝部５７との位置関係は上下が逆に配置されていても良い。
また、上記実施の形態に示したような保持凹部５１に収容される鋼球５５と溝部５７とを利用した構成に代えて、カムやギヤを利用して操作レバー２９の水平方向の回動動作を芯ボルト２５ないし保持円板２７の上下方向の動きに変換する構成等が採用可能である。
【００５２】
また、操作レバー２９の回動方向は水平左右方向に限らず、垂直上下方向でもよく、その場合には使用者が足で踏んで操作するフットペダル式の操作レバー２９とすることも可能である。
この他、前記第２の実施の形態によるゴルフ練習台１０１において使用した打席台１０９にパンタグラフ式等の昇降機構を設けたり、第１の実施の形態によるゴルフ練習台１の傾斜台３と同様の傾倒機能を付加し、傾斜台１０７と連動させて傾倒角度θ１、θ２を調整できるようにすることも可能である。
また、前記第２の実施の形態における傾斜台１０７のパッティングスペース１０５の形状は、長い略矩形形状に限らず、楕円形状や長円形状のものを採用可能である。
また、前記第２の実施の形態において設けたカップ１０３は少なくとも１つ設けられていればよく、３つ以上設けることも勿論可能である。
【産業上の利用可能性】
【００５３】
本発明のゴルフ練習台は、コンパクトで簡易な構成の傾倒機能を備えたゴルフ練習台の製造、使用分野等で利用でき、特に実践に即した傾斜地でのショット練習ないしパット練習を効率的に簡単な操作で実行したい場合に利用可能性を有する。
【図面の簡単な説明】
【００５４】
【図１】本発明の第１の実施の形態を示す図で、半球体及び筒体周辺を破断して示すゴルフ練習台の正面図である。
【図２】本発明の第１の実施の形態を示す図で、半球体及び筒体周辺を破断して示すゴルフ練習台の右側面図である。
【図３】本発明の第１の実施の形態を示す図で、半球体及び筒体周辺を破断して示すゴルフ練習台の平面図である。
【図４】本発明の第１の実施の形態を示す図で、半球体及び筒体周辺を拡大して示す縦断左側面図である。
【図５】本発明の第１の実施の形態を示す図で、筒体と鋼球保持ブロックを拡大して示す縦断正面図である。
【図６】本発明の第１の実施の形態を示す図で、筒体と鋼球保持ブロックを拡大して示す底面図である。
【図７】本発明の第１の実施の形態を示す図で、ロック調整板と操作レバーを拡大して示す平面図である。
【図８】本発明の第１の実施の形態を示す図で、ロック調整板と操作レバーを拡大して示す縦断左側面図である。
【図９】本発明の第１の実施の形態を示す図で、ゴルフボールのセットスペースの一部を拡大して示す平面図（ａ）と、縦断正面図（ｂ）である。
【図１０】本発明の第１の実施の形態を示す図で、ゴルフ練習台の２種の使用状態（ａ）、（ｂ）を示す説明図である。
【図１１】本発明の第２の実施の形態を示す図で、ゴルフ練習台の斜め上方からの斜視図である。
【図１２】本発明の第２の実施の形態を示す図で、ゴルフ練習台の斜め下方からの斜視図である。
【符号の説明】
【００５５】
１  ゴルフ練習台
３  傾斜台
５  上部開口
７  傾倒許容開口
９  半球体
１０  内周面
１１  外周面
１３  開口部
１５  筒体
１７  ロックナット
１９  ロックナット
２１  底部
２３  受入れ穴
２５  芯ボルト
２７  保持円板
２９  操作レバー
３１  ロックレバー機構
３３  接合用開口
３５  天板
３７  マット部材
３９  打席スペース
４１  セットスペース
４３  支持突起
４４  脚部
４５  支持フレーム
４７  支持ステイ
４９  スラストベアリング
５１  保持凹部
５３  鋼球保持ブロック
５５  鋼球
５７  溝部
５９  ロック調整板
１０１  ゴルフ練習台
１０３  カップ
１０５  パッティングスペース
１０７  傾斜台
１０９  打席台
１０９ａ〜ｄ  打席台要素
１１１  落下防止壁
１１３  ボール受け
１１５  補強フレーム
１１７  他の補強フレーム
１１９  切欠き部
θ１  傾斜角度
θ２  傾斜角度
Ｄ１  口径
Ｄ２  口径
Ｄ３  直径
α  操作角度
Ｈ  作用高さ
Ｕ  使用者
Ｂ  ゴルフボール
Ｌ１  カップ径
Ｍ１  ボール径
Ｓ１  ストローク
Ｌ２  カップ径
Ｍ２  ボール径
Ｓ２  ストローク
Ｔ  深さ
ｔ  厚さ
Ｃ  クラブ
【図１】
2010148631.tif 000003
【図２】
2010148631.tif 000004
【図３】
2010148631.tif 000005
【図４】
2010148631.tif 000006
【図５】
2010148631.tif 000007
【図６】
2010148631.tif 000008
【図７】
2010148631.tif 000009
【図８】
2010148631.tif 000010
【図９】
2010148631.tif 000011
【図１０】
2010148631.tif 000012
【図１１】
2010148631.tif 000013
【図１２】
2010148631.tif 000014